(57)【要約】【課題】コストの上昇を招くことなく商品情報を表示する部材を着脱自在に保持することができ、かつ、清掃作業が容易な自動販売機の商品見本展示装置を提供する。【解決手段】庫内に収納された商品をホット，コールド状態に保存して販売する自動販売機であって、外扉に形成され、前面が透明板で覆われるとともに背面が中扉により閉塞されたディスプレイ室内に配設されたディスプレイ台３０上に左右に並べて複数の商品見本を展示してなる自動販売機の商品見本展示装置に係り、前記ディスプレイ台３０の前面に商品情報表示部材６０の保持部４３２を形成し、当該保持部４３２に商品情報表示部材６０を着脱自在に係止保持するように構成し、従来では透明板の背面に近接して配設されていた商品情報表示部材６０を、外扉２を開放することによって透明板から離隔させることにより清掃作業などのメンテナンス作業性の向上を図る。【選択図】図１
2012113340.tif 000002
【特許請求の範囲】
【請求項１】
本体キャビネットの商品収納庫内に収納された商品をホット，コールド状態に保存して販売する自動販売機であって、前記本体キャビネットに開閉自在に軸支された外扉に形成され、前面が透明板で覆われるとともに背面が中扉により形成されたディスプレイ室を備え、前記中扉に固着されたディスプレイ台上に左右に並べて複数の商品見本を展示してなる自動販売機の商品見本展示装置において、前記ディスプレイ台の前面に商品情報表示部材の保持部を形成し、当該保持部に商品情報表示部材を着脱自在に係止保持するようにしたことを特徴とする自動販売機の商品見本展示装置。
【請求項２】
請求項１に記載の自動販売機の商品見本展示装置において、商品情報表示部材は、商品価格を表示した価格表示部材および商品収納庫内に収納された商品のホット・コールド状態を表示する冷温表示部材からなり、当該価格表示部材および冷温表示部材を前後に重ねて保持部に係止保持してなることを特徴とする自動販売機の商品見本展示装置。
【請求項３】
請求項２に記載の自動販売機の商品見本展示装置において、前後に重ねて保持される価格表示部材および冷温表示部材のうち、前方側に配置される価格表示部材若しくは冷温表示部材は上下のいずれか一方を商品価格の表示部分若しくはホット・コールド状態の冷温パターンの表示部分とし、他方を光透過性とし、後方側に配置される価格表示部材若しくは冷温表示部材は前方側に配置された冷温表示部材若しくは価格表示部材の光透過性部分に対応する部分に商品価格の表示若しくは冷温パターンを表示してなることを特徴とする自動販売機の商品見本展示装置。
【請求項４】
請求項３に記載の自動販売機の商品見本展示装置において、価格表示部材の後方側に冷温表示部材を配置し、当該冷温表示部材は、冷温パターンの表示領域を上下に区分し、当該上下の表示領域にそれぞれ商品の互いに異なる冷温パターンを互いに逆さまにして表示してなることを特徴とする自動販売機の商品見本展示装置。
【請求項５】
請求項１に記載の自動販売機の商品見本展示装置において、ディスプレイ台は、前記複数の商品見本を展示するステージ状の商品載置台および中扉に固定される左右一対のブラケットからなり、前記商品載置台を左右一対のブラケットに跨る態様で当該左右一対のブラケットに対して着脱自在に設けたことを特徴とする自動販売機の商品見本展示装置。
【請求項６】
請求項５に記載の自動販売機の商品見本展示装置において、商品載置台の左右側壁には支持軸が装着され、ブラケットには前記支持軸を嵌合・離脱可能な態様で当該支持軸を嵌合支持する異形溝が形成され、当該異形溝に支持軸を嵌合した状態で商品載置台を展示位置に拘束し、かつ、当該展示位置から前方側のメンテナンス位置に移動させた上で前記商品載置台を前傾姿勢に傾倒させるように構成したことを特徴とする自動販売機の商品見本展示装置。
【請求項７】
請求項６に記載の自動販売機の商品見本展示装置において、支持軸の軸部にはその一部を切欠いて平坦面が形成され、商品載置台が展示位置に位置する際、前記支持軸の平坦面が異形溝に当接する態様で前記商品載置台を拘束するようにしたことを特徴とする自動販売機の商品見本展示装置。
【請求項８】
請求項６に記載の自動販売機の商品見本展示装置において、ブラケットの板面に形成した異形溝は、支持軸を回転可能に支える前半域の円弧状溝部と、前記支持軸の移動を拘束して商品載置台を展示位置に保持する後半域のスライド溝部と、前記円弧状溝部とスライド溝部との中間位置からブラケットの上縁に切欠き開口した挿脱溝部とからなることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図７，図８を用いて説明する。図７は一般的な缶入り飲料，ペットボトル入り飲料を販売する自動販売機を示し、（ａ）は正面図、（ｂ）は外扉開放状態の斜視図である。図に示すように、この自動販売機は、前面が開放した断熱筐体として形成された本体キャビネット１と、本体キャビネット１の前面に開閉可能に支持された外扉２とからなる。本体キャビネット１の商品収納庫の前面は開閉可能な断熱内扉３によって閉塞され、断熱内扉３には搬出扉付きの商品搬出口３ａが設けられている。本体キャビネット１の商品収納庫内は、断熱仕切壁により左右方向に複数の商品収納室に区画されている。各商品収納室には商品を横倒し状態で上下方向に積み重ねて収納するとともに下端部に商品搬出装置を有する商品収納ラックが設置されている。また、各商品収納室の下部には、当該各商品収納室を冷却もしくは加熱して商品収納ラックに収納した商品をコールド・ホット状態に保存する冷却／加熱ユニットが配設されている。
【０００３】
外扉２の前面の上部域はアクリル樹脂からなる透明板４で覆われ、この透明板４と外扉２に開閉可能に支持された中扉６との間の空間がディスプレイ室５として形成されている。前記中扉６の前面には、本体キャビネット１の商品収納庫内に収納した商品に対応した複数の商品見本８を左右に一列に並べて展示したディスプレイ台７が上下方向に３段並べて取付けられている。前記透明板４には、各ディスプレイ台７と対峙する位置に左右方向に横長の商品選択ボタンユニット９が設けられ、商品選択ボタンユニット９は、ディスプレイ台７に載置された各商品見本８に対応して左右に一列に並べて設けた複数の商品選択ボタン９ａを有している。また、商品選択ボタンユニット９と組み合わせて透明板４の背後には各商品見本８の商品価格，ホット・コールド状態を表示する商品情報表示体１０が設けられている。さらに、外扉２の前面には、硬貨投入口１１、紙幣挿入口１２、返却レバー１３、扉ロック装置のハンドル１４、硬貨返却口１５、商品取出口１６などが設けられ、外扉２の背面には硬貨投入口１１から投入された硬貨の真偽を識別する硬貨識別装置１７、紙幣挿入口１２から挿入された紙幣の真偽を識別する紙幣識別装置１８、硬貨回収ボックス（金庫）１９などが設けられている。
【０００４】
前記ディスプレイ台７は、図８に示すように、その内部に照明光源としての蛍光灯２０を組み込んだ下面開放形の箱体であり、ディスプレイ室５の背面を形成する中扉６に固定されている。前記商品見本８は、光を透過可能な光透過材（プラスチック製）にて中空状の円筒体に形成され、外表面に商品デザインを印刷して成るダミーサンプルであり、下端部をディスプレイ台７の開口部７ａに着脱自在に嵌合載置して固定されている。前記ディスプレイ台７に展示された商品見本８は、ディスプレイ台７に内臓した蛍光灯２０の光が開口部７ａを介して内部に入射され、内部から照明されることにより発光体のように明るく展示される。
【０００５】
図８に示すように、商品選択ボタンユニット９は透明板４の前面に配設され、透明板４の背面に配設された取付金具２１を介してねじＳ１により次のように固着されている。すなわち、前記取付金具２１は横長の商品選択ボタンユニット９に対応して左右方向に横長で、図示形状に折り曲げられた板金製になり、ねじＳ１が差し込まれるねじ挿通穴（不図示）が左右方向に複数形成されている。また、透明板４にも前記ねじ挿入穴に対応する穴（不図示）が予め形成され、さらに、商品選択ボタンユニット９のケースには前記ねじＳ１が螺合するインサートナットが埋設されている。前記商品選択ボタンユニット９および取付金具２１は透明板４を挟んで前後に配設し、取付金具２１の背面からねじＳ１をねじ挿入穴に挿入した上で商品選択ボタンユニット９のインサートナットに螺合させる。これにより商品選択ボタンユニット９が透明板４の前面に露出した状態で固定される。なお、取付金具２１はアクリル樹脂からなる透明板４の補強金具としての機能を備えている。
【０００６】
前記取付金具２１には各商品見本８の商品価格，ホット・コールド状態を表示する商品情報表示体１０が保持部材２２により着脱自在に保持されている（例えば、特許文献１）。前記商品情報表示体１０は横長帯状のアクリル樹脂からなり、各商品見本８に対応して商品価格，暖色（赤色）の背景色に白抜きの「ホット」の文字若しくは寒色（青色）の背景色に白抜きの「コールド」の冷温パターンが施されている。利用者はディスプレイ室５の商品見本８，商品情報表示体１０を視認して希望する商品見本８の代価を投入した上で当該商品見本８に対応する商品選択ボタン９ａを押す。商品選択ボタン９ａが押されると、不図示の制御装置に選択信号として入力され、投入金額が商品価格に一致若しくは超えている場合には商品収納庫内に設置された商品収納ラック（の商品搬出装置）に販売指令が送出されて商品が払い出される。商品収納ラックから払い出された商品は、商品収納ラックの下部に配設された商品シュートを介して断熱内扉３の商品搬出口３ａの搬出扉を押し開いて外扉２の商品取出口１６に搬出される。
【先行技術文献】
【特許文献】
【０００７】
【特許文献１】特開平９−８１８４７号公報
【発明の概要】
【発明が解決しようとする課題】
【０００８】
清涼飲料などを販売する自動販売機においては清潔感を与える必要がある。特に、利用者が直接目視するところのディスプレイ室５は、前面を透明板４により覆うとともに背面を中扉６により閉塞した密閉空間として形成され、蛍光灯２０の光に群がる虫がディスプレイ室５内に入らないように構成されている。しかしながら、ディスプレイ室５内に埃が蓄積するのを避けることはできないことから定期的なメンテナンス作業（清掃作業）が行われる。
【０００９】
ところで、特許文献１に開示されたように、商品情報表示体１０が透明板４の背後に近接して配設されている場合、透明板４と商品情報表示体１０との間の隙間が狭いことから清掃作業が困難となる。そこで、特許文献１に開示された自動販売機においては保持部材２２を後方側に傾倒可能、すなわち、保持部材２２における取付金具２１との当接点を支点として後方側に傾けることができるように構成している。この構成によれば、前記保持部材２２を後方側に傾倒させることにより商品情報表示体１０の上端と透明板４との間の間隔を広げることができるので、保持部材２２を固定したものに対して清掃作業の向上が期待できる。ところが、商品情報表示体１０の下端と透明板４との間の隙間は依然として狭いことから清掃作業に手間がかかる点は未解決である。しかも、商品情報表示体１０の下端と透明板４との間の隙間を透明板４の後方から確認（拭き残しがないかどうかの確認）することが困難であるので、作業者は透明板４の背面側から前面側に移動して目視せねばならず、メンテナンス作業が煩雑であるという課題を有する。この問題を解決するため、保持部材２２を取付金具２１に対して着脱自在とすることも考えられる。しかしながら、保持部材２２を取付金具２１に着脱自在にした場合には、自動販売機が稼動状態にある場合に振動などにより保持部材２２が脱落しないように構成せねばならないので、その構造が複雑となることは否めない。
【００１０】
そこで、本発明は上記の点に鑑みなされたものであり、その目的は前記課題を解決し、コストの上昇を招くことなく商品情報を表示する部材を着脱自在に保持することができ、かつ、清掃作業が容易な自動販売機の商品見本展示装置を提供することにある。
【課題を解決するための手段】
【００１１】
上記目的を達成するために請求項１に係る発明は、本体キャビネットの商品収納庫内に収納された商品をホット，コールド状態に保存して販売する自動販売機であって、前記本体キャビネットに開閉自在に軸支された外扉に形成され、前面が透明板で覆われるとともに背面が中扉により形成されたディスプレイ室を備え、前記中扉に固着されたディスプレイ台上に左右に並べて複数の商品見本を展示してなる自動販売機の商品見本展示装置において、前記ディスプレイ台の前面に商品情報表示部材の保持部を形成し、当該保持部に商品情報表示部材を着脱自在に係止保持するようにしたことを特徴とする。
【００１２】
また、請求項２に係る発明は、請求項１に記載の自動販売機の商品見本展示装置において、商品情報表示部材は、商品価格を表示した価格表示部材および商品収納庫内に収納された商品のホット・コールド状態を表示する冷温表示部材からなり、当該価格表示部材および冷温表示部材を前後に重ねて保持部に係止保持してなることを特徴とする。
【００１３】
また、請求項３に係る発明は、請求項２に記載の自動販売機の商品見本展示装置において、前後に重ねて保持される価格表示部材および冷温表示部材のうち、前方側に配置される価格表示部材若しくは冷温表示部材は上下のいずれか一方を商品価格の表示部分若しくはホット・コールド状態の冷温パターンの表示部分とし、他方を光透過性とし、後方側に配置される価格表示部材若しくは冷温表示部材は前方側に配置された冷温表示部材若しくは価格表示部材の光透過性部分に対応する部分に商品価格の表示若しくは冷温パターンを表示してなることを特徴とする。
【００１４】
また、請求項４に係る発明は、請求項３に記載の自動販売機の商品見本展示装置において、価格表示部材の後方側に冷温表示部材を配置し、当該冷温表示部材は、冷温パターンの表示領域を上下に区分し、当該上下の表示領域にそれぞれ商品の互いに異なる冷温パターンを互いに逆さまにして表示してなることを特徴とする。
【００１５】
また、請求項５に係る発明は、請求項１に記載の自動販売機の商品見本展示装置において、ディスプレイ台は、前記複数の商品見本を展示するステージ状の商品載置台および中扉に固定される左右一対のブラケットからなり、前記商品載置台を左右一対のブラケットに跨る態様で当該左右一対のブラケットに対して着脱自在に設けたことを特徴とする。
【００１６】
また、請求項６に係る発明は、請求項５に記載の自動販売機の商品見本展示装置において、商品載置台の左右側壁には支持軸が装着され、ブラケットには前記支持軸を嵌合・離脱可能な態様で当該支持軸を嵌合支持する異形溝が形成され、当該異形溝に支持軸を嵌合した状態で商品載置台を展示位置に拘束し、かつ、当該展示位置から前方側のメンテナンス位置に移動させた上で前記商品載置台を前傾姿勢に傾倒させるように構成したことを特徴とする。
【００１７】
また、請求項７に係る発明は、請求項６に記載の自動販売機の商品見本展示装置において、支持軸の軸部にはその一部を切欠いて平坦面が形成され、商品載置台が展示位置に位置する際、前記支持軸の平坦面が異形溝に当接する態様で前記商品載置台を拘束するようにしたことを特徴とする。
【００１８】
また、請求項８に係る発明は、請求項６に記載の自動販売機の商品見本展示装置において、ブラケットの板面に形成した異形溝は、支持軸を回転可能に支える前半域の円弧状溝部と、前記支持軸の移動を拘束して商品載置台を展示位置に保持する後半域のスライド溝部と、前記円弧状溝部とスライド溝部との中間位置からブラケットの上縁に切欠き開口した挿脱溝部とからなることを特徴とする。
【発明の効果】
【００１９】
本発明の請求項１に係る自動販売機の商品見本展示装置によれば、本体キャビネットの商品収納庫内に収納された商品をホット，コールド状態に保存して販売する自動販売機であって、前記本体キャビネットに開閉自在に軸支された外扉に形成され、前面が透明板で覆われるとともに背面が中扉により形成されたディスプレイ室を備え、前記中扉に固着されたディスプレイ台上に左右に並べて複数の商品見本を展示してなる自動販売機の商品見本展示装置において、前記ディスプレイ台の前面に商品情報表示部材の保持部を形成し、当該保持部に商品情報表示部材を着脱自在に係止保持するようにしたことにより、次のような効果を奏するものである。すなわち、従来では透明板の背面に近接して配設されていたことにより清掃作業が煩雑であった商品情報表示部材をディスプレイ台に係止保持するという簡単な構成により、外扉を開放することによって商品情報表示部材を透明板から離隔させることができるので、従来装置に対して清掃作業を著しく効率的に行うことができるという効果を有する。
【００２０】
また、本発明の請求項２に係る自動販売機の商品見本展示装置よれば、請求項１に記載の自動販売機の商品見本展示装置において、商品情報表示部材は、商品価格を表示した価格表示部材および商品収納庫内に収納された商品のホット・コールド状態を表示する冷温表示部材からなり、当該価格表示部材および冷温表示部材を前後に重ねて保持部に係止保持してなることにより、ディスプレイ台に展示された各商品見本に近接して当該商品価格および商品のホット・コールド状態の表示を行うことができるという効果を有する。
【００２１】
また、本発明の請求項３に係る自動販売機の商品見本展示装置よれば、請求項２に記載の自動販売機の商品見本展示装置において、前後に重ねて保持される価格表示部材および冷温表示部材のうち、前方側に配置される価格表示部材若しくは冷温表示部材は上下のいずれか一方を商品価格の表示部分若しくはホット・コールド状態の冷温パターンの表示部分とし、他方を光透過性とし、後方側に配置される価格表示部材若しくは冷温表示部材は前方側に配置された冷温表示部材若しくは価格表示部材の光透過性部分に対応する部分に商品価格の表示若しくは冷温パターンを表示してなることにより、価格表示部材と冷温表示部材を前後に重ねて配設するのみで商品価格および商品のホット・コールド状態を表す冷温パターン、すなわち、異なる２種類の表示を一挙に行うことができるという効果を有する。
【００２２】
また、本発明の請求項４に係る自動販売機の商品見本展示装置によれば、請求項３に記載の自動販売機の商品見本展示装置において、価格表示部材の後方側に冷温表示部材を配置し、当該冷温表示部材は、冷温パターンの表示領域を上下に区分し、当該上下の表示領域にそれぞれ商品の互いに異なる冷温パターンを互いに逆さまにして表示してなることにより、一枚の冷温表示部材で２種類の冷温パターンを表示でき、冷温表示部材の種類数を半減できるという効果を有する。
【００２３】
また、本発明の請求項５に係る自動販売機の商品見本展示装置によれば、請求項１に記載の自動販売機の商品見本展示装置において、ディスプレイ台は、前記複数の商品見本を展示するステージ状の商品載置台および中扉に固定される左右一対のブラケットからなり、前記商品載置台を左右一対のブラケットに跨る態様で当該左右一対のブラケットに対して着脱自在に設けたことにより、ブラケットから商品載置台を取外すことにより中扉の清掃を簡単に行うことができ、また、商品載置台のステージの清掃も容易に行うことができるという効果を有する。
【００２４】
また、本発明の請求項６に係る自動販売機の商品見本展示装置によれば、請求項５に記載の自動販売機の商品見本展示装置において、商品載置台の左右側壁には支持軸が装着され、ブラケットには前記支持軸を嵌合・離脱可能な態様で当該支持軸を嵌合支持する異形溝が形成され、当該異形溝に支持軸を嵌合した状態で商品載置台を展示位置に拘束し、かつ、当該展示位置から前方側のメンテナンス位置に移動させた上で前記商品載置台を前傾姿勢に傾倒させるように構成したことにより、商品載置台をメンテナンス位置に移動させた上で前傾姿勢に傾倒させることにより中扉と商品載置台との間を大きく開放することができるので、ブラケットから商品載置台を取外すことなく中扉の清掃作業を行うことができ、清掃作業の効率化を図ることができる。
【００２５】
また、本発明の請求項７に係る自動販売機の商品見本展示装置によれば、請求項６に記載の自動販売機の商品見本展示装置において、支持軸の軸部にはその一部を切欠いて平坦面が形成され、商品載置台が展示位置に位置する際、前記支持軸の平坦面が異形溝に当接する態様で前記商品載置台を拘束するようにしたことにより、商品載置台が展示位置から不測に移動することを防止することがないという効果を有する。
【００２６】
また、本発明の請求項８に係る自動販売機の商品見本展示装置によれば、請求項６に記載の自動販売機の商品見本展示装置において、ブラケットの板面に形成した異形溝は、支持軸を回転可能に支える前半域の円弧状溝部と、前記支持軸の移動を拘束して商品載置台を展示位置に保持する後半域のスライド溝部と、前記円弧状溝部とスライド溝部との中間からブラケットの上縁に切欠き開口した挿脱溝部とからなることにより、限られたブラケットの板面内に商品載置台の展示位置、メンテナンス位置、着脱位置を確保することが可能な異形溝を形成することができるという利点を有する。
【図面の簡単な説明】
【００２７】
【図１】本発明の実施の形態に係る自動販売機の商品見本展示装置におけるディスプレイ台の斜視図である。
【図２】図１に示したディスプレイ台の分解斜視図である。
【図３】図２に示したディスプレイ台の正面視右端側の拡大斜視図である。
【図４】図１に示したディスプレイ台を構成するブラケットを示し、（ａ）はその斜視図、（ｂ）は（ａ）の側面図、（ｃ）は（ａ）の平面図である。
【図５】図１に示したディスプレイ台の側面図である。
【図６】図５に示したディスプレイ台に商品見本を展示した状態を示し、（ａ）は商品載置台を展示位置にセットした状態の側面図、（ｂ）は商品載置台をメンテナンス位置で前傾姿勢に傾倒させた状態の側面図である。
【図７】本発明が対象とする自動販売機の一例を示し、（ａ）はその正面図、（ｂ）は扉開放状態の斜視図である。
【図８】従来装置におけるディスプレイ台の側面断面図である。
【発明を実施するための形態】
【００２８】
以下、本発明の実施の形態に係る自動販売機の商品見本展示装置について添付図面を参照して説明する。本発明の実施の形態に係る自動販売機の商品見本展示装置が従来装置と相違する点は主にディスプレイ台であり、ここでは従来装置と相違するディスプレイ台について説明する。なお、自動販売機の全体構成は図７に示したものと同一であるので適宜図７を参照しつつ説明を行う。
【００２９】
図１において、３０はディスプレイ台であり、このディスプレイ台３０は薄板鋼板製の商品載置台４０と左右一対のブラケット５０とからなる。前記ブラケット５０は商品載置台４０を支持する腕木として機能し、当該ブラケット５０がディスプレイ室５の中扉６（図７参照）に後述するように係止固定される。前記商品載置台４０は、商品見本８（図６参照）が嵌合係止される複数、この実施の形態では１２個の嵌合穴４１ａを備えたステージ状の天井壁４１と、天井壁４１の両端から下方に延在する左右側壁４２，４２と、天井壁４１の前後端から下方に延在する前面壁４３および後面壁（図では見えない）により下面が開放した横長の箱形に形成されている。この商品載置台４０は、左右一対のブラケット５０に跨る態様で当該左右一対のブラケット５０に対して着脱自在に設けられている。前記商品載置台４０の前面壁４３には複数の商品見本８に対応して当該商品見本８のコールド，ホット状態を表す冷温パターン７１および商品価格を表す価格パターン８１を表示する商品情報表示部材６０が着脱自在に係止保持されている。
【００３０】
図２は、ディスプレイ台３０の分解斜視図、図３はディスプレイ台３０の正面視右端側の拡大図であり、これらの図を用いて各部材について更に説明する。前記商品載置台４０はステージ状の天井壁４１に複数の嵌合穴４１ａが形成され、左右両端部にはそれぞれ裏面に向けて押し出し形成された突起状の嵌合突起４１１およびストッパ４１２（図３も参照）が設けられている。前記商品載置台４０の左右側面壁４２，４２にはそれぞれ内側に向って突出する支持軸４４が取付けられている。前記支持軸４４は合成樹脂製になり、図２、図３では前記支持軸４４の頭部が示されており、支持軸４４の軸部（不図示）は天井壁４１の嵌合突起４１１の下方まで延在するとともに軸部の上端側の周面の一部を削ぎ取って平坦面とした断面Ｄ状に形成されている（後述図５参照）。また、前記商品載置台４０の前面壁４３には左右方向に複数、この実施の形態では１２個の光透過窓４３１が形成されるとともに前面壁４３の下端を前方側に折り返して形成された保持部４３２を備えている。この保持部４３２は前面壁４３との間に、図３に示すように商品情報表示部材６０を保持する保持溝を形成する。さらに、図３から明らかなように、前記商品載置台４０の前面壁４３の左右両端には前記保持部４３２により保持された商品情報表示部材６０が左右方向にずれるのを防止する係止突起４３３（図３では正面視右側の係止突起４３３を示す）が形成され、また、商品情報表示部材６０の脱落を防止するために保持部４３２から突出する突起片４３２１および天井壁４１から前方に延在するように切り起して形成された突起片４３２２が設けられている。
【００３１】
前記商品載置台４０とともにディスプレイ台３０を構成する左右一対のブラケット５０は左右対称であるので、ここでは正面視右側のブラケット５０を代表として説明する。前記ブラケット５０には、図４にも示すように、前記支持軸４４を嵌合支持する異形溝５１が形成され、また、ブラケット５０の上縁には内側を向くようにガイド片５２が形成され、さらに後端面にはディスプレイ室５の中扉６（図７参照）に設けた角穴（不図示）に引っ掛けて当該ブラケット５０を定位置に固定する係合爪５３，５３が切り起こし形成されている。前記異形溝５１は、前記支持軸４４を回転可能に支える前半域の円弧状溝部５１１と、前記円弧状溝部５１１に連ねて後半域に形成され、前記支持軸４４の移動を拘束して商品載置台４０を展示位置に保持するスライド溝部５１２と、前記円弧状溝部５１１とスライド溝部５１２との中間位置からブラケット５０の上縁に切欠き開口した挿脱溝部５１３とを組合わせて形成されている。なお、前記円弧状溝部５１１は支持軸４４の軸部より一回り大きく形成され、また、前記スライド溝部５１２の高さ寸法ｈは支持軸４４の直径よりも小さい寸法の断面Ｄ状の軸部に合わせて形成されている。また、ブラケット５０の上縁に内側を向くように形成されたガイド片５２は異形溝５１の挿脱溝部５１３により前後に２分割されている。
【００３２】
前記商品載置台４０の保持部４３２に装着して保持係止される商品情報表示部材６０は、複数の商品見本８に対応して当該商品見本８のコールド，ホット状態を表す冷温パターン７１が表示された冷温表示部材７０および商品価格を表す価格パターン８１が表示された価格表示部材８０からなる。前記冷温表示部材７０は光透過性のアクリル樹脂により横長帯状に形成されるとともに冷温パターン７１の表示領域を上下に区分し、当該上下の表示領域にそれぞれ異なる冷温パターン７１を互いに逆さにして表示してなる。この実施の形態では、冷温表示部材７０の上部の表示領域には「コールド」の文字、下部の表示領域には「ＨＯＴ」の文字が互いに逆さまに表示されている。なお、図には明示されていないが、冷温パターン７１は、商品のホット状態を表すパターンとして暖色（赤色）の背景色に白抜きの「ホット」の文字が施され、商品のコールド状態を表すパターンとして寒色（青色）の背景色に白抜きの「コールド」の文字が施されているものである。一方、価格表示部材８０は透明なアクリル樹脂により横長帯状に形成され、上部領域に「\１２０」の価格パターン８１が施されている。これらの冷温表示部材７０および価格表示部材８０は、価格表示部材８０を前方側に位置するようにして前後に重ね合わせて商品載置台４０の前面壁４３に沿って配設される。なお、冷温表示部材７０および価格表示部材８０は商品載置台４０の前面壁４３の左右両端に形成した係止突起４３３（図３参照）間に収まる寸法に定められている。
【００３３】
前記ディスプレイ台３０の分解斜視図を示す図２において、２０は照明光源としての蛍光灯である。この蛍光灯２０はソケット９１を有する左右一対の蛍光灯取付金具９０に装着されるものである。前記蛍光灯取付金具９０はブラケット５０と同様に中扉６に係止固定される。すなわち、蛍光灯取付金具９０の後端面に板面を切り起して形成された不図示の係合爪をディスプレイ室５の中扉６（図７参照）に設けた角穴に引っ掛けることによって中扉６に係止固定される。なお、左右一対の蛍光灯取付金具９０はそれぞれ左右一対のブラケット５０の内方に配設され、左右一対のブラケット５０に跨るように商品載置台４０を取付けた場合、箱形の商品載置台４０の内部に位置するように定められている。このように、蛍光灯２０は箱形の商品載置台（ディスプレイ台）の内部に位置しており、蛍光灯２０からの光が商品載置台４０の天井壁４１に形成した嵌合穴４１ａを介して商品見本８の内部に照射されるとともに前面壁４３に形成した光透過窓４３１を介して商品情報表示部材６０に照射される。
【００３４】
次に、ディスプレイ台３０の組立てについて説明すると、まず、左右一対のブラケット５０をディスプレイ室の中扉６（図７参照）に取付ける。このブラケット５０の中扉６への取付けは、ブラケット５０の後端面に切り起しにより形成された係合爪５３，５３を中扉６０の所定位置に設けた角穴に挿入係止させる。これによりブラケット５０が中扉６の所定位置に固定される。次いで、中扉６に固着された左右一対のブラケット５０に対して商品載置台４０を、左右一対のブラケット５０の上方から被せるように装着する。この場合、商品載置台４０の左右側壁４２に内側に向けて突出する支持軸４４をブラケット５０の挿脱溝部５１３に対峙させた上で、商品載置台４０をブラケット５０に被せる。そして、商品載置台４０の天井壁４１の内壁がブラケット５０の上縁に当接すると、支持軸４４がブラケット５０の異形溝５１に嵌合した状態で商品載置台５０がブラケット５０に一体化される。この後、商品載置台４０を後方（中扉６側）にスライドさせると、支持軸４４が異形溝５１のスライド溝部５１２に移動する。この状態を図５に示し、支持軸４４の断面Ｄ状の軸部４４ａの上端側の平坦面がスライド溝部５１２の平坦な上縁に対峙する。一方、商品載置台４０の天井面４１の左右両端部にそれぞれ裏面に向けて押し出し形成された突起状の嵌合突起４１１およびストッパ４１２が、ブラケット５０の上縁に内側を向くように形成された前後のガイド片５２，５２を乗り越えてその後方側に落とし込まれる。この場合、前記嵌合突起４１１およびストッパ４１２がそれぞれのガイド片５２，５２を乗り越えることができるように、支持軸４４の断面Ｄ状の軸部４４ａの上端側の平坦面とスライド溝部５１２の平坦な上縁との間には遊びが形成されている。
【００３５】
前述したように、商品載置台４０の天井壁４１の左右両端部にそれぞれ裏面に向けて押し出し形成された突起状の嵌合突起４１１およびストッパ４１２がブラケット５０の上縁に形成した前後のガイド片５２，５２を乗り越えてその後方側に落とし込まれると、嵌合突起４１１およびストッパ４１２がガイド片５２，５２に係合する一方、支持軸４４がスライド溝部５１２に嵌合することにより商品載置台４０の前後方向の移動が規制され、商品展示台４０は商品見本８を展示する展示位置にセットされる。この状態で、商品展示台４０の前面壁４３に形成した保持部４３２に価格表示部材８０を前面にして冷温表示部材７０を重ね合わせた商品情報表示部材６０を装着する。この場合、商品情報表示部材６０は保持部４３２の上方から商品情報表示部材６０の下縁を前面壁４３に沿わせつつ保持部４３２の保持溝に挿入し、左右両端を左右一対の係止突起４３３，４３３の間に位置させた上で、上端を天井壁４１から前方に延在するように切り起して形成された突起片４３２２（図３参照）の下方に押し込む。これにより商品情報表示部材６０はディスプレイ台３０の前面に係止保持される。
【００３６】
前述したように、ブラケット５０の異形溝５１に支持軸４４を嵌合させて商品載置台４０を商品展示位置にセットするとともに商品載置台４０の前面壁４３の保持部４３２に商品情報表示部材６０を装着したディスプレイ台３０は、図６の（ａ）に示すように、商品載置台４０に載置された複数の商品見本８を起立姿勢で展示している。そして、ディスプレイ台３０の前面に位置する商品情報表示部材６０によりそれぞれの商品見本８のコールド，ホット状態を表す冷温パターン７１および商品価格の価格パターン８１（図２、図３参照）が表示される。この場合、商品情報表示部材６０の冷温パターン７１および価格パターン８１は商品載置台４０の前面壁４３に形成された光透過窓４３１の前方に位置しており、ディスプレイ台３０の内部に配設された蛍光灯２０により照射される。ここで、前記商品情報表示部材６０を保持する保持部４３２は、ディスプレイ室５の前面を覆う透明板４の前面に配設された商品選択ボタンユニット９の背後に位置しており、自動販売機の正面からは商品選択ボタンユニット９に隠れて見えないようになっている。なお、図５において、２３は商品選択ボタンユニット９を透明板４に取付けるための取付金具である。この取付金具２３は商品選択ボタンユニット９の幅に対応する幅を有する断面コ字状の横長帯状に形成されている。また、この実施の形態における商品見本８は、商品を縦方向に半分に切断した半切りタイプのものである。
【００３７】
さて、ディスプレイ室５（図７参照）の清掃，ディスプレイ台３０に展示された商品見本８の交換などのメンテナンス作業を行う際には、本体キャビネット１から外扉２を開放した上で、外扉２に係止された中扉６を開放させてディスプレイ台３０を露出させる。すなわち、図６の（ａ）に点線で示した透明板４が無い状態とする。これにより、透明板４からディスプレイ台３０に装着した商品情報表示部材６０が離隔するので透明板４の清掃を容易に行うことができる。また、中扉６を清掃するには、ディスプレイ台３０における商品見本８の展示位置にセットされた商品載置台４０を前方にスライド移動させる。この場合、商品載置台４０の天井壁４１の左右両端部にそれぞれ裏面に向けて押し出し形成された突起状の嵌合突起４１１およびストッパ４１２がブラケット５０の上縁に形成した前後のガイド片５２，５２を乗り越えるように商品載置台４０を若干上方に持ち上げた状態で前方にスライド移動させる。そうすると、商品載置台４０の左右側壁４２に設けた支持軸４４がブラケット５０の異形溝５１における後半域のスライド溝部５１２から前半域の円弧状溝部５１１に移動する。支持軸４４が円弧状溝部５１１に達すると商品載置台４０の前方への移動が阻止されるので、支持軸４４が円弧状溝部５１１、つまり、メンテナンス位置に到達したことを知ることができる。そこで、商品載置台４０を、支持軸４４を支点として前方側に回動させると商品載置台４０がメンテナンス位置で前傾するように傾倒し始める。そして、商品載置台４０の前面壁４３の下端がブラケット５０に当接すると商品載置台４０は前傾姿勢に傾倒した状態に保持される（図６の（ｂ）参照）。
【００３８】
図６の（ｂ）に示すように、商品載置台４０を前傾姿勢に傾倒した状態で、中扉６の拭き作業や商品載置台４０の上面壁４１に溜まった塵埃を払い落とす清掃作業、若しくは商品載置台４０に展示された商品見本８の交換などのメンテナンス作業が行われる。この場合、商品載置台４０は中扉６から離れており、また、前傾姿勢に傾倒していることから、そのメンテナンス作業を簡単に行うことができる。清掃や商品見本８の交換などメンテナンス作業を完了した後は商品載置台４０を元の位置に戻す。この作業は前記と逆の手順、つまり、商品載置台４０を支持軸４４を支点として商品見本８が起立状態となるように回動させた上で、中扉６に向けてスライド移動させる。そして、支持軸４４をブラケット５０の異形溝５１におけるスライド溝部５１２に嵌合させて商品載置台４０を商品見本８の展示位置にセットする。
【００３９】
前述したように本発明の実施の形態に係る自動販売機の商品見本展示装置によれば、本体キャビネット１の商品収納庫内に収納された商品をホット，コールド状態に保存して販売する自動販売機であって、前記本体キャビネット１に開閉自在に軸支された外扉２に形成され、前面が透明板４で覆われるとともに背面が中扉６により形成されたディスプレイ室５を備え、前記中扉６に固着されたディスプレイ台３０上に左右に並べて複数の商品見本８を展示してなる自動販売機の商品見本展示装置において、前記ディスプレイ台３０の前面に商品情報表示部材６０の保持部４３を形成し、当該保持部４３に商品情報表示部材６０を着脱自在に係止保持するようにしたことにより、従来では透明板４の背面に近接して配設されていたことにより清掃作業が煩雑であった商品情報表示部材６０をディスプレイ台３０に係止保持するという簡単な構成により、外扉２を開放することによって商品情報表示部材６０を透明板４から離隔させることができるので、従来装置に対して清掃作業を著しく効率的に行うことができるという効果を有する。
【００４０】
なお、前述した実施の形態に係る自動販売機の商品見本展示装置では、ディスプレイ台３０における商品載置台４０をブラケット５０に対して着脱自在とするためにブラケット５０に形成した異形溝５１に開放した挿脱溝部５１３を設けて商品載置台４０の支持軸４４が挿入・脱出できるようにしたものについて説明したが、これに限るものではない。例えば、異形溝５１を閉塞した穴とし、支持軸４４を商品載置台４０に対して着脱自在に構成することもできるものである。したがって、前述した実施の形態によりこの発明が限定されるものではない。
【符号の説明】
【００４１】
１…本体キャビネット、２…外扉、４…透明板、５…ディスプレイ室、６…中扉、８…商品見本、９…商品選択ボタンユニット、３０…ディスプレイ台、４０…商品載置台、４１…天井壁、４２…左右側壁、４３…前面壁、４４…支持軸、５０…ブラケット、５１…異形溝、５２…ガイド片、６０…商品情報表示部材、７０…冷温表示部材、７１…冷温パターン、８０…価格表示部材、８１…価格パターン、４１１…嵌合突起、４１２…ストッパ、４１２…係止突起、４３２…保持部、５１１…円弧状溝部、５１２…スライド溝部、５１３…挿脱溝部。
【図１】
2012113340.tif 000003
【図２】
2012113340.tif 000004
【図３】
2012113340.tif 000005
【図４】
2012113340.tif 000006
【図５】
2012113340.tif 000007
【図６】
2012113340.tif 000008
【図７】
2012113340.tif 000009
【図８】
2012113340.tif 000010